(57)【要約】      （修正有）【課題】開閉パネルの開閉にともなって、固定パネルの内表面部材が枠部材から外れることを防止できる発泡剤を用いて形成される収納装置を提供する。【解決手段】右側内表面部材１０３ａに一体的に固定される右側面固定補助部材１０３ｂの第２突出部１０３ｂ２は、内部発泡剤形成部材１０３ｄ内に位置し、右後方縦枠部材１０１ａの第１突出部１０１ａ１に対向して位置し、さらに、第１突出部１０１ａ１と第２突出部１０３ｂ２との間の空間には発泡剤形成パネルの一部が存在する。このため、第２突出部１０３ｂ２が引っ張り力Ｐ２によって内部収納空間１０９側に引っ張られたとしても、第２突出部１０３ｂ２を有する右側面固定補助部材１０３ｂと一体的に固定されている右側内表面部材１０３ａも移動できない。よって、後面パネル１０２の開閉にともなって、右側面パネル１０３の右側内表面部材１０３ａが、右後方縦枠部材１０１ａから外れることを防止できる。【選択図】図２
2017201227.tif 000002
【特許請求の範囲】
【請求項１】
発泡剤を用いて形成され、所定の回動軸を中心に開閉する開閉パネル、発泡剤を用いて形成された固定パネル、前記開閉パネルを取り付ける開閉パネル配置空間、及び、前記固定パネルを取り付ける固定パネル配置空間を有し、前記開閉パネル配置空間に対して前記固定パネル配置空間が交差する方向に沿って位置する枠部材、及び、前記固定パネルに対する前記開閉パネルの開閉を補助する開閉補助部材を有する収納装置であって、
前記枠部材は、
前記固定パネル配置空間に向かって突出して位置する第１突出部、
を有し、
前記固定パネルは、
前記発泡剤により形成される内部発泡剤形成部材、
前記内部発泡剤形成部材の内表面に位置する内表面部材、
前記内部発泡剤形成部材の内部において、前記第１突出部に対向して位置し、前記内表面部材に接続される第２突出部、
を有し、
前記開閉補助部材は、
少なくとも前記内表面部材に取り付けられる第１取付部、
前記開閉パネルに取り付けられる第２取付部、
を有する収納装置。
【発明の詳細な説明】
【技術分野】
【０００１】
本発明は、収納装置に関し、特に、発泡剤を用いて形成されるものに関する。
【背景技術】
【０００２】
従来の収納装置について、図５に示すような、断熱箱体を用いて説明する。金属或いは樹脂等の適材よりなる外板１２ａと内板１２ｂとより成り、両板１２ａ、１２ｂの間に発泡ウレタン等の断熱材１３を発泡充填した所定厚み、所定寸法の天板用、左右側板用、底板用の断熱パネル１４ａ、１４ｂ、１４ｃ、１４ｄを製作する。これらの断熱パネル１４ａ、１４ｂ、１４ｃ、１４ｄは平坦形状のものなので、その製作治具は高価なものではない。又、平坦な断熱パネルであれば寸法がまちまち違ってもその製作治具に多大な設備投資を伴なわずとも製作できる。
【０００３】
こうして、先ず所定寸法を持った断熱パネル１４ａ、１４ｂ、１４ｃ、１４ｄを組み合わせて、前後が開口１５、１５された箱本体１Ａを形成する。
【０００４】
一方、ＳＵＳ４３０系のステンレス鋼板等で加工された枠部材１６ａ、１６ａ、１６ｂ、１６ｂを門構え構造に溶接で繋いで、長方形をした枠体１７、１７を形成する。枠体１７、１７はその外周と内周に夫々水平に突出する外周突縁１７ａと、内周突縁１７を有する。そして、この枠体１７、１７の裏側には、枠体１７、１７に沿わせて結露防止用ヒ−タ１８、１８がテ−プなどで装着されている。また、前記扉２ａ、２ｂを取付けるためのヒンジを枠体１７、１７に止着する時に補強となる補強板１９、１９が上下方向の枠部材１６ａ、１６ａの裏側にビス２０等で固定されている。
【０００５】
このように結露防止用ヒ−タ１８、１８及び補強板１９、１９を具備した枠体１７、１７を、前記箱本体１Ａの前後面に嵌め込むように組付ける。そして、枠体１７、１７の箱本体１Ａ外面に嵌まり込む外周突縁１７ａを介して、リベット２１等で適数箇所を固定する。
【０００６】
そして、天板となる断熱パネル１４ａ（図示せず）の内面前後位置に、上方の枠部材１６ａとの間に空間を形成すべく枠部材１６ａに沿って対向延在される止め板２２、２２をビス２３にて取付装着している。
【０００７】
同様に、左右側板となる断熱パネル１４ｂ、１４ｃの内面の前後位置にも、枠部材１６ｂ、１６ｂとの間で空間を形成するように、枠部材１６ｂ、１６ｂと対向して延在設置される止め板２４（図４参照）がビスにて取付固定されている。
【０００８】
更に、底板となる断熱パネル１４ｄの内底面上には、金属あるいは樹脂製の庫内底板２５を貼付けるようにビス２６で取付固定する。そして、この庫内底板２５の前後縁部を上方に屈曲形成して、下方側の枠部材１６ａとの間で同様に空間を形成させる格好となる屈曲縁２５ｂ、２５ｂが設けられている。ここで、庫内底板２５は門構えの枠体１７と共に、後述するヒ−トブレ−カ−を止める板を兼ねる板体であり、かつ庫内の防水構造の役目をしている。すなわち、上方に立ち上げ屈曲した屈曲縁２５ｂ、２５ｂの存在により、庫内水が枠体１７の中へ侵入するのが防止されている。
【０００９】
こうして、止め板２２、止め板２４及び庫内底板２５の屈曲縁２５ｂ、２５ｂによって、枠体１７、１７の内側に形成される空間には、発泡ポリエチレンや発泡スチロ−ル等の断熱材２６が挿入される（以上、特許文献１参照）。
【先行技術文献】
【特許文献】
【００１０】
【特許文献１】特開平５−５２４６６号公報
【発明の概要】
【発明が解決しようとする課題】
【００１１】
前述の断熱箱体には、以下に示すような改善すべき点がある。断熱箱体では、断熱材１３を発泡充填した所定厚み、所定寸法の天板用、左右側板用、底板用の断熱パネル１４ａ、１４ｂ、１４ｃ、１４ｄを製作した後、それらを組み合わせて箱本体１Ａを形成し、また、枠部材１６ａ、１６ａ、１６ｂ、１６ｂを門構え構造に溶接で繋いで、長方形をした枠体１７、１７を形成し、形成した枠体１７、１７を、前記箱本体１Ａの前後面に嵌め込むように組付ける必要がある。このため、断熱箱体の製造に手間がかかり、結果としてコストがかかる、という改善すべき点がある。
【００１２】
なお、製造における手間をかけず、コストを低減するために、枠体１７に、外板１２ａ、内板１２ｂを取り付け、その間に発泡ウレタン等の断熱材１３を充填するし、断熱箱体を形成することができる。しかし、このように形成された断熱箱体では、内板１２ｂと断熱材１３との密着性が悪いため、両者の間で剥離が生ずることがある。特に、断熱箱体の開閉扉の開閉を補助する開閉補助部材（図４参照）を用いる場合には、断熱パネルにおける開閉補助部材の取付部に、内板１２ｂを枠体１７から引き離す力がかかる場合があり、内板１２ｂが断熱材１３から剥離する場合がある、という改善すべき点がある。
【００１３】
そこで、本発明は、発泡剤を用いて形成され、所定の回動軸を中心に開閉する開閉パネル、及び、発泡剤を用いて形成された固定パネルによって形成される収納装置であっても、開閉パネルの開閉にともなって、固定パネルの内表面部材が、枠部材から外れることを防止できる収納装置を提供することを目的とする。
【発明の効果】
【００１４】
本発明における課題を解決するための手段及び発明の効果を以下に示す。
【００１５】
本発明に係る収納装置は、発泡剤を用いて形成され、所定の回動軸を中心に開閉する開閉パネル、発泡剤を用いて形成された固定パネル、前記開閉パネルを取り付ける開閉パネル配置空間、及び、前記固定パネルを取り付ける固定パネル配置空間を有し、前記開閉パネル配置空間に対して前記固定パネル配置空間が交差する方向に沿って位置する枠部材、及び、前記固定パネルに対する前記開閉パネルの開閉を補助する開閉補助部材を有する収納装置であって、前記枠部材は、前記固定パネル配置空間に向かって突出して位置する第１突出部、を有し、前記固定パネルは、前記発泡剤により形成される内部発泡剤形成部材、前記内部発泡剤形成部材の内表面に位置する内表面部材、前記内部発泡剤形成部材の内部において、前記第１突出部に対向して位置し、前記内表面部材に接続される第２突出部、を有し、前記開閉補助部材は、少なくとも前記内表面部材に取り付けられる第１取付部、前記開閉パネルに取り付けられる第２取付部、を有する。
【００１６】
これにより、発泡剤を用いて形成され、所定の回動軸を中心に開閉する開閉パネル、及び、発泡剤を用いて形成された固定パネルによって形成される収納装置であっても、開閉パネルの開閉にともなって、固定パネルの内表面部材が、枠部材から外れることを防止できる。
【図面の簡単な説明】
【００１７】
【図１】本発明に係る収納装置の一実施例である保冷庫付き自動車（以下、保冷車）の保冷庫１００の一部の構成部品を取り除いた斜視図である。
【図２】右後方縦枠部材１０１ａ及び右側面パネル１０３における開閉補助部材１０８の取付位置の断面を示す図である。
【図３】図２における領域Ａの拡大図である。
【図４】第１後面パネル１０２ａと右側内表面部材１０３ａとを接続する開閉補助部材１０８を示す図である。
【図５】従来の保冷庫を説明するための図である。
【発明を実施するための形態】
【００１８】
以下、本発明の実施例について、図面を参照しながら詳細に説明していく。
【実施例１】
【００１９】
本発明に係る収納装置の一実施形態である保冷庫付き自動車（以下、保冷車）の保冷庫１００について用いて説明する。保冷庫１００は、荷台付き自動車、例えば、軽トラックの荷台に設置されるものである。
【００２０】
保冷庫１００の構成について、図１を用いて説明する。図１は、一部の構成部品を取り除いた保冷庫１００の斜視図を示している。保冷庫１００は、後面に左右に開くパネルを有し、左側面に車両前後方向に素行沿って移動するパネル、いわゆるスライドドアを有している。図１に示すように、保冷庫１００は、枠部材１０１、後面パネル１０２（図示せず）、右側面パネル１０３（図示せず）、左側面パネル１０４、左側面開閉パネル（図示せず）、上面パネル１０５、下面パネル１０６、前面パネル１０７、開閉補助部材１０８（一部のみ図示）、及び、内部収納空間１０９を有している。なお、保冷庫１００は、立方体形状を有している。
【００２１】
枠部材１０１は、樹脂により形成されている。枠部材１０１は、右後方縦枠部材１０１ａ、左後方縦枠部材１０１ｂ、右前方縦枠部材１０１ｃ、左前方縦枠部材１０１ｄ、上後方横枠部材１０１ｅ、上右側方横枠部材１０１ｆ、上左側方横枠部材１０１ｇ、上前方横枠部材１０１ｈ、下後方横枠部材１０１ｉ、下右側方横枠部材１０１ｊ、下左側方横枠部材１０１ｋ（図示せず）、下前方横枠部材１０１ｌ、及び、左側面中間縦枠部材１０１ｍを有している。
【００２２】
後面パネル１０２を取り付けるための後面パネル配置空間Ｓ１０２は、右後方縦枠部材１０１ａ、左後方縦枠部材１０１ｂ、上後方横枠部材１０１ｅ、及び、下後方横枠部材１０１ｉによって後面パネル配置空間Ｓ１０２が形成される。同様に、右側面パネル１０３を取り付け、固定するための右側面パネル配置空間Ｓ１０３は、右後方縦枠部材１０１ａ、右前方縦枠部材１０１ｃ、上右側方横枠部材１０１ｆ、及び、下右側方横枠部材１０１ｊによって形成される。その他のパネルについても同様である。
【００２３】
枠部材１０１の構造について、図２を用いて説明する。図２は、右後方縦枠部材１０１ａ及び右側面パネル１０３における開閉補助部材１０８を取り付ける上側の取付ボルト１０８ａ３（図４参照）の位置での車両水平方向に沿った断面を示している。さらに、図２における領域Ａの拡大図を図３に示す。図３に示すように、右後方縦枠部材１０１ａは、右側面パネル配置空間Ｓ１０３に向かって突出する第１突出部１０１ａ１を有している。なお、図３においては、右側面パネル配置空間Ｓ１０３には右側面パネル１０３が取り付けられているため、第１突出部１０１ａ１は、右側面パネル１０３に向かって突出している。第１突出部１０１ａ１は、内部収納空間１０９に近い位置に形成され、右側面パネル１０３が内部収納空間１０９へ移動することを規制している。
【００２４】
また、右後方縦枠部材１０１ａは、右側内表面部材１０３ａ（後述）を取り付けるための右側内表面部材取付溝１０１ａ３を有している。右側内表面部材取付溝１０１ａ３は、右後方縦枠部材１０１ａの車両上下方向に沿って形成されている。
【００２５】
図１に戻って、後面パネル１０２は、後面パネル配置空間Ｓ１０２に配置されるように、枠部材１０１に取り付けられる。枠部材１０１は、車両の幅方向に並んで配置され、いわゆる観音開きとなる第１後面パネル１０２ａ、第２後面パネル１０２ｂ（図示せず）を有している。図２に示すように、第１後面パネル１０２ａは、右後方縦枠部材１０１ａの近傍において、車両の上下方向に沿って配置される所定の開閉軸を中心に回動する。第２後面パネル１０２ｂについても同様である。
【００２６】
図１に戻って、右側面パネル１０３は、右側面パネル配置空間Ｓ１０３に配置されるように、枠部材１０１に取り付けられ、固定される。図２に示すように、右側面パネル１０３は、右側内表面部材１０３ａ、右側面固定補助部材１０３ｂ、右側外表面部材１０３ｃ、及び、内部発泡剤形成部材１０３ｄを有している。右側内表面部材１０３ａは、右側面パネル配置空間Ｓ１０３（図１参照）に沿った四角形状の金属薄板により形成されている。図３に示すように、右側内表面部材１０３ａは、車両の上下方向に沿って形成される取付突出部１０３ａ１を有している。取付突出部１０３ａ１を、右後方縦枠部材１０１ａの右側内表面部材取付溝１０１ａ３に嵌合させることによって、右側内表面部材１０３ａは、右後方縦枠部材１０１ａに固定される。
【００２７】
右側面固定補助部材１０３ｂは、金属板により形成されている。右側面固定補助部材１０３ｂは、取付平板部１０３ｂ１、第２突出部１０３ｂ２、及び、接続部１０３ｂ３を有している。取付平板部１０３ｂ１は、四角形状を有している。第２突出部１０３ｂ２は、四角形状を有し、取付平板部１０３ｂ１から所定距離、離れて位置する。接続部１０３ｂ３は、取付平板部１０３ｂ１と第２突出部１０３ｂ２と接続するように形成される。
【００２８】
なお、右側面固定補助部材１０３ｂは、右側内表面部材１０３ａを右後方縦枠部材１０１ａに固定した状態において、第２突出部１０３ｂ２が右後方縦枠部材１０１ａの第１突出部１０１ａ１に対向するように、右側内表面部材１０３ａに沿って取り付けられる。
【００２９】
なお、右側面パネル１０３は、（１）右側面パネル配置空間Ｓ１０３を形成する右後方縦枠部材１０１ａ、右前方縦枠部材１０１ｃ、上右側方横枠部材１０１ｆ、及び、下右側方横枠部材１０１ｊの内部収納空間１０９側に右側内表面部材１０３ａを取り付け、（２）外側に右側外表面部材１０３ｃを取り付けた後、（３）右側内表面部材１０３ａ、及び、右側外表面部材１０３ｃによって閉じられた右側面パネル配置空間Ｓ１０３に、所定の発泡剤を注入し、発泡させることによって形成する。このとき、第１突出部１０１ａ１と第２突出部１０３ｂ２との間に形成される空間ＳＳにも、発泡剤を用いて形成される内部発泡剤形成部材１０３ｄが満たされる。なお、左側面パネル１０４、上面パネル１０５、下面パネル１０６、及び、前面パネル１０７についても、同様に形成する。
【００３０】
図１に戻って、開閉補助部材１０８は、第１後面パネル１０２ａと右側面パネル１０３とを、また、第２後面パネル１０２ｂと左側面パネル１０４とを、それぞれ接続する。開閉補助部材１０８について、第１後面パネル１０２ａと右側内表面部材１０３ａとを接続した状態を示す図４を用いて説明する。開閉補助部材１０８は、側面取付部１０８ａ、後面取付部１０８ｂ、第１リンク部１０８ｃ、及び、第２リンク部１０８ｄを有している。側面取付部１０８ａは、金属板により形成されている。側面取付部１０８ａは、所定の大きさの側面取付平板部１０８ａ１に対して、断面コの字状の平板部１０８ａ２が垂直に配置された形状を有している。後面取付部１０８ｂは、金属板により形成されており、断面コの字形状を有している。第１リンク部１０８ｃは、断面四角形状を有する所定長さの柱状形状を有している。第２リンク部１０８ｄは、断面コの字形状を有する所定長さの柱状形状を有している。
【００３１】
図２に示すように、側面取付部１０８ａは、側面取付平板部１０８ａ１が右側内表面部材１０３ａを間に右側面固定補助部材１０３ｂの取付平板部１０３ｂ１と対向するように、右側内表面部材１０３ａに沿って配置される。なお、側面取付部１０８ａ、及び、右側面固定補助部材１０３ｂの取付平板部１０３ｂ１は、所定の取付ボルト１０８ａ３により右側内表面部材１０３ａに一体的に取り付けられる。
【００３２】
後面取付部１０８ｂは、断面コの字形状の底部に対応する面が第１後面パネル１０２ａに沿って配置される。なお、後面取付部１０８ｂは、所定のボルトにより後面取付部１０８ｂに取り付けられる。
【００３３】
また、第１リンク部１０８ｃは、一端が側面取付部１０８ａの平板部１０８ａ２の上面に回転自由となるように取り付けられる。また、第１リンク部１０８ｃは、側面取付部１０８ａに取り付けられる一端とは異なる他端側で、第２リンク部１０８ｄの一端に、回転自由となるように取り付けられる。第１リンク部１０８ｃは、第２リンク部１０８ｄとの取付位置から、さらに、側面取付部１０８ａに取り付けられる一端とは異なる他端側に、固定凸部１０８ｃ１を有している。
【００３４】
さらに、第２リンク部１０８ｄは、一端が後面取付部１０８ｂの断面コの字形状の側面に対応する面の間で回転自由となるように取り付けられる。また、第２リンク部１０８ｄは、後面取付部１０８ｂに取り付けられる一端とは異なる他端で、第１リンク部１０８ｃに対して回転自由となるように取り付けられる。第２リンク部１０８ｄは、第１リンク部１０８ｃとの取付位置から、後面取付部１０８ｂ側に、固定凸部１０８ｃ１と係合する固定凹部１０８ｄ１を有している。なお、第１後面パネル１０２ａを開け、右側面パネル１０３と並行になった状態で、固定凸部１０８ｃ１と固定凹部１０８ｄ１とが係合し、第１リンク部１０８ｃと第２リンク部１０８ｄとの直線状態となる。これにより、第１後面パネル１０２ａを開いた状態に維持する。
【００３５】
図２に示すように、第１後面パネル１０２ａを開く際には、第１後面パネル１０２ａを開く方向に引っ張り力が働く。特に、第１後面パネル１０２ａが全開状態になった後に、第１後面パネル１０２ａを開く方向に向かう引っ張り力Ｐが作用した場合、右側面パネル１０３の右側内表面部材１０３ａには、内部収納空間１０９側に向かう引っ張り力Ｐ１が働く。つまり、右側面パネル１０３の右側内表面部材１０３ａには、右後方縦枠部材１０１ａから引き離される力が働く。また、右側内表面部材１０３ａは右側面固定補助部材１０３ｂと一体的に固定されているため、図３に示すように、右側面固定補助部材１０３ｂの第２突出部１０３ｂ２には、内部収納空間１０９に向かう引っ張り力Ｐ２が働く。
【００３６】
ここで、第２突出部１０３ｂ２は、内部発泡剤形成部材１０３ｄ内に位置し、また、右後方縦枠部材１０１ａの第１突出部１０１ａ１に対向して位置する。さらに、第１突出部１０１ａ１と第２突出部１０３ｂ２との間の空間ＳＳには、発泡剤形成パネルの一部が存在する。このため、第２突出部１０３ｂ２が引っ張り力Ｐ２によって内部収納空間１０９側に向かって引っ張られたとしても、第２突出部１０３ｂ２は移動することができない。ひいては、第２突出部１０３ｂ２を有する右側面固定補助部材１０３ｂと一体的に固定されている右側内表面部材１０３ａも移動できない。以上は、開閉補助部材１０８によって第２後面パネル１０２ｂと接続されている左側面パネル１０４についても同様である。このように、保冷庫１００では、後面パネル１０２ａの開閉にともなって、右側面パネル１０３の右側内表面部材１０３ａが、右後方縦枠部材１０１ａから外れることを防止できる。
［その他の実施形態］
【００３７】
（１）右後方縦枠部材１０１ａにおける第１突出部１０１ａ１の形成位置：前述の実施例１においては、第１突出部１０１ａ１は、内部発泡剤形成部材１０３ｄの内部収納空間１０９側の表面に位置するとしたが、第２突出部１０３ｂ２から内部収納空間１０９側に向かって所定距離だけ離れている位置であれば、例示のものに限定されない。例えば、第１突出部１０１ａ１を内部発泡剤形成部材１０３ｄの内部に位置するように形成してもよい。
【００３８】
（２）第１突出部１０１ａ１及び第２突出部１０３ｂ２の形成位置：前述の実施例１においては、第１後面パネル１０２ａと右側面パネル１０３との間を、また、第２後面パネル１０２ｂと左側面パネル１０４との間を、開閉補助部材１０８によって接続するとしたため、第１突出部１０１ａ１を右後方縦枠部材１０１ａに、第２突出部１０３ｂ２を右側内表面部材１０３ａに、それぞれ形成するとしたが、開閉補助部材１０８によって接続するパネルに応じて、第１突出部１０１ａ１、及び、第２突出部１０３ｂ２を対応する枠部材に形成すればよい。
【００３９】
（３）第２突出部１０３ｂ２と右側内表面部材１０３ａとの接続：前述の実施例１においては、右側面固定補助部材１０３ｂを右側内表面部材１０３ａに一体的に固定することによって、第２突出部１０３ｂ２を右側内表面部材１０３ａに接続するとしたが、第２突出部１０３ｂ２を右側内表面部材１０３ａに接続するものであれば、例示のものに限定されない。例えば、第２突出部１０３ｂ２、接続部１０３ｂ３、及び、右側内表面部材１０３ａを一体成形することによって、第２突出部１０３ｂ２を右側内表面部材１０３ａに接続するようにしてもよい。
【００４０】
（４）保冷庫１００：前述の実施例１においては、収納装置として保冷車の保冷庫１００を示したが、保温車や、温度調整機能を有しない収納庫を有する自動車であってもよい。
【産業上の利用可能性】
【００４１】
本発明に係る収納装置は、例えば、自動車の保冷車に用いることができる。
【符号の説明】
【００４２】
１００      保冷庫
１０１      枠部材
１０１ａ      右後方縦枠部材
１０１ａ１      第１突出部
１０１ａ３      右側内表面部材取付溝
１０１ｂ      左後方縦枠部材
１０１ｃ      右前方縦枠部材
１０１ｄ      左前方縦枠部材
１０１ｅ      上後方横枠部材
１０１ｆ      上右側方横枠部材
１０１ｇ      上左側方横枠部材
１０１ｈ      上前方横枠部材
１０１ｉ      下後方横枠部材
１０１ｊ      下右側方横枠部材
１０１ｋ      下左側方横枠部材
１０１ｌ      下前方横枠部材
１０１ｍ      左側面中間縦枠部材
１０２      後面パネル
１０２ａ      第１後面パネル
１０２ｂ      第２後面パネル
１０３      右側面パネル
１０３ａ      右側内表面部材
１０３ａ１      取付突出部
１０３ｂ      右側面固定補助部材
１０３ｂ１      取付平板部
１０３ｂ２      第２突出部
１０３ｂ３      接続部
１０３ｃ      右側外表面部材
１０３ｄ      内部発泡剤形成部材
１０４      左側面パネル
１０５      上面パネル
１０６      下面パネル
１０７      前面パネル
１０８      開閉補助部材
１０８ａ      側面取付部
１０８ａ１      側面取付平板部
１０８ａ２      平板部
１０８ａ３      取付ボルト
１０８ｂ      後面取付部
１０８ｃ      第１リンク部
１０８ｃ１      固定凸部
１０８ｄ      第２リンク部
１０８ｄ１      固定凹部
１０９      内部収納空間
Ｓ１０２      後面パネル配置空間
Ｓ１０３      右側面パネル配置空間
【図１】
2017201227.tif 000003
【図２】
2017201227.tif 000004
【図３】
2017201227.tif 000005
【図４】
2017201227.tif 000006
【図５】
2017201227.tif 000007